(57)【特許請求の範囲】
【請求項１】
撮像エリア面上に結像した光学像を電気信号に変換する撮像素子と、
上記撮像素子が固設されたベースと、
第１の光軸方向の光学像を上記撮像エリア面上に結像させる第１の光学系と、
第２の光軸方向の光学像を上記撮像エリア面上に結像させる第２の光学系と、
上記第１および第２の光学系をともに保持し、上記ベース上をスライドしていずれかの光学系による光学像を上記撮像エリア面上に結像させるスライダと、
上記スライダを上記ベースにスライド自在に保持するガイド手段と
を備え、
上記ガイド手段は、
上記スライダに設けられた貫通穴と、
上記貫通穴に挿通された主軸と、
上記ベースに凸設された鍔部と、
上記スライダに設けられた溝であって上記鍔部にスライド自在に嵌合するガイド溝と
を有する
ことを特徴とする撮像装置。
【請求項２】
上記主軸は、上記ベースの両端に設けられた凸部であって上記スライダの端面が当接することによって上記スライダのスライドストロークの終端位置となる第１および第２の凸部によって両端を支持されている
ことを特徴とする請求項１記載の撮像装置。
【請求項３】
上記ベースは、上記撮像素子を露出させるための開口部をさらに有し、
上記主軸および上記鍔部は、上記開口部を挟んで互いに対峙する位置であって上記開口部を遮蔽しない位置にそれぞれ配設されている
ことを特徴とする請求項１または２記載の撮像装置。
【請求項４】
上記ガイド溝は、第１の終端位置において上記第１の凸部に当接する第１の端面からスライドストローク応じた途中位置までに配設されており、上記途中位置から第２の終端位置において上記第２の凸部に当接する第２の端面までには配設されていないことを特徴とする請求項１または２記載の撮像装置。
【請求項５】
上記ガイド手段は、
上記スライダの第１の端面に設けられた凹部であって第１の終端位置において上記第１の凸部が挿嵌される第１の凹部と、
上記スライダの第２の端面に設けられた凹部であって第２の終端位置において上記第２の凸部が挿嵌される第２の凹部と
をさらに有する
ことを特徴とする請求項１または２記載の撮像装置。
【請求項６】
上記ガイド手段は、上記ガイド溝のいずれかの面を上記鍔部に向かって押圧付勢する付勢手段をさらに有することを特徴とする請求項１または２記載の撮像装置。
【請求項７】
上記付勢手段は、
上記スライダもしくは上記ベースのいずれかに形成された摺動面と、
上記ベースもしくは上記スライダのいずれかに固設され、上記摺動面を押圧しながら摺動する押圧片と
を有し、
上記摺動面は、上記スライダがスライドストロークの終端近傍に位置するときに上記押圧片が当接する領域に、上記ガイド溝のいずれかの面を上記鍔部に向かって押圧付勢するとともに上記スライダを上記スライドストロークの終端に向かって押圧付勢するためのカム斜面を有する
ことを特徴とする請求項６記載の撮像装置。
【請求項８】
上記ベースが固設された回路基板をさらに備え、
上記付勢手段は、上記回路基板を押圧付勢することによって、上記ガイド溝のいずれかの面を上記鍔部に向かって押圧付勢する
ことを特徴とする請求項６記載の撮像装置。
【請求項９】
上記付勢手段は、
上記回路基板に形成された摺動面と、
上記スライダに固設され、上記摺動面を押圧しながら摺動する導体の押圧片と
を有し、
上記摺動面は、上記押圧片の当接位置によって上記スライダの位置を検知するための導体の接点パターンを有する
ことを特徴とする請求項８記載の撮像装置。
【発明の詳細な説明】
【０００１】
【発明の属する技術分野】
本発明は、撮像の光軸方向（撮影方向）を切り換える光軸切換手段を備えた撮像装置に関し、特に携帯電話や携帯用パソコン等の携帯情報機器に設けられる小型の撮像装置に適した撮像装置に関する。
【０００２】
【従来の技術】
撮像装置に設けられる従来の光軸切換手段には、例えば特開平１１−１１００７８号公報に記載された光軸方向切換装置がある。この文献の記載の光軸方向切換装置は、光軸方向が互いに異なる２つ光学系を設けたスライドカバーを、カメラが固設された携帯型操作機器（携帯情報機器）のフレームにスライド自在に保持させ、いずれかの光学系がカメラに光学像を結像するようにスライドカバーをスライドさせることによって光軸方向を切り換える。なお、上記の文献には、スライダー（スライドカバー）をベース（携帯型操作機器のフレーム）にスライド自在に保持させるガイド手段の詳細については記載がない。
【０００３】
図２６は従来の撮像装置の構成を示す斜視図であって、上記文献の光軸方向切換装置が設けられた携帯型操作機器の斜視図である。図２６において、ＣＣＤ等の撮像素子を備えたカメラ１０６、スライドカバー１０７、開口部１０７ａ，１０７ｂ，ミラー１０８，および携帯型操作機器１０１のフレーム（のスライドカバー１０７がスライド自在に保持される部分）は、光軸切換手段を備えた撮像装置を構成している。
【０００４】
携帯電話等の携帯型操作機器１０１の上部には、光軸方向の切換機構であるスライドカバー１０７が左右に移動自在に配置されている。スライドカバー１０７の正面側および平面側には、透明カバーにより被覆された開口部１０７ａおよび１０７ｂが形成されている。携帯型操作機器１０１の内部においてスライドカバー１０７に対向する位置には、ＣＣＤ等の撮像部を備えたカメラ１０６が固定されている。カメラ１０６の光軸方向は、携帯型操作機器１０１の正面に対向する方向に一致している。
【０００５】
スライドカバー１０７において、開口部１０７ｂは、携帯型操作機器１０１の正面側から見て開口部１０７ａよりも左側の位置に形成されている。また、スライドカバー１０７は、内部にミラー１０８を備えている。ミラー１０８は、略４５度の傾斜角を与えて開口部１０７ｂに対向して配置されている。
【０００６】
スライドカバー１０７が図２６（Ａ）に示す左端位置にある状態では、カメラ１０６の光軸方向に開口部１０７ａが位置しており、カメラ１０６は携帯型操作機器１０１の正面に対向する方向の外部光のみを受光する。スライドカバー１０７が図２６（Ａ）に示す位置から右方向に移動して、図２６（Ｂ）に示す右端位置にある状態では、ミラー１０８がカメラ１０６に対向し、カメラ１０６は開口部１０７ｂからミラー１０８を介して携帯型操作機器１０１の平面に対向する方向の外部光のみを受光する。
【０００７】
スライドカバー１０７が図２６（Ａ）に示す左端位置にある状態では、カメラ１０６は操作者に対向しており、操作者はカメラ１０６によって操作者自身の顔や操作者の後方の画像を撮像することができる。また、操作者がこの状態から携帯型操作機器１０１を水平に保持することにより、カメラ１０６によって操作者の上方の画像を撮像することもできる。
【０００８】
一方、スライドカバー１０７が図２６（Ｂ）に示す右端位置にある状態では、カメラ１０６は操作者の前方に対向しており、操作者はカメラ１０６によって操作者の前方の画像を撮像することができる。
【０００９】
以上の構成により、スライドカバー１０７を左右に往復移動させることにより、携帯型操作機器１０１の内部に固定されたカメラ１０６に対して、携帯型操作機器１０１の正面に対向する方向からの外部光、または側面に対向する方向からの外部光のいずれかを選択的に配光することができ、カメラ１０６を移動させることなく簡単な構成によって、カメラ１０６に対して複数の方向から外部光を配光することができる。
【００１０】
図２７は携帯型操作機器１０１の制御部の構成を示すブロック図である。図２７に示すように、携帯型操作機器１０１には、スライドカバー１０７の移動状態を検出するセンサ１１７が設けられている。具体的には、スライドカバー１０７が図２６（Ａ）に示す位置にある状態でオフし、スライドカバー１０７が図２６（Ｂ）に示す位置にある状態でオンする。このセンサ１１７のオン／オフ信号がＣＰＵ１１２に入力される。画像処理部１１８は、カメラ１０６の撮像素子であるＣＣＤ１２０の受光信号をディジタルデータに変換したあとに、所定の画像処理を施して画像データを作成する。通信部１１９は、図示しない外部装置との間でデータを送受信する。
【００１１】
【発明が解決しようとする課題】
しかしながら上記従来の光軸切換手段を備えた撮像装置では、以下のような課題があった。スライダを撮像装置のベースにスライド自在に保持するガイド手段のがたつきによってスライダの位置精度の低下し、この位置精度の低下によって合焦精度および光軸精度が低下することがあった。例えば、焦点距離が数ミリ程度の短焦点のレンズを用いた超小型の撮像装置においては、その焦点深度は数十ミクロンオーダであると考えられる。これとともに、光軸傾きを生じることがある。高い合焦精度および光軸精度を確保しようとすると、ガイド手段の構成および組立手順が複雑になってしまうともに、ガイド手段の部品数が増えて撮像装置が大型化してしまい、コンパクトな撮像装置を実現することが難しくなる。
【００１２】
また、スライダの位置（選択されている光学系）を検知するためのセンサが必要であり、上記のセンサを別途実装するスペースが必要となる。このようなセンサを実装しなければならないことによって、部品数が増えて撮像装置が大型化してしまい、コンパクトな撮像装置を実現することが難しかった。
【００１３】
本発明は、上記従来の課題を解消するためになされたものであり、ガイド手段の構成および組立手順が簡単で、かつ高い合焦精度および光軸精度を確保でき、かつコンパクトな撮像装置を提供することを目的とする。
【００１４】
【課題を解決するための手段】
上記目的を達成するために本発明の請求項１記載の撮像装置は、
撮像エリア面上に結像した光学像を電気信号に変換する撮像素子と、
上記撮像素子が固設されたベースと、
第１の光軸方向の光学像を上記撮像エリア面上に結像させる第１の光学系と、第２の光軸方向の光学像を上記撮像エリア面上に結像させる第２の光学系と、
上記第１および第２の光学系をともに保持し、上記ベース上をスライドしていずれかの光学系による光学像を上記撮像エリア面上に結像させるスライダと、
上記スライダを上記ベースにスライド自在に保持するガイド手段と
を備え、
上記ガイド手段は、
上記スライダに設けられた貫通穴と、
上記貫通穴に挿通された主軸と、
上記ベースに凸設された鍔部と、
上記スライダに設けられた溝であって上記鍔部にスライド自在に嵌合するガイド溝と
を有する
ことを特徴とする。
【００１５】
請求項２記載の撮像装置は、上記請求項１において、上記主軸は、上記ベースの両端に設けられた凸部であって上記スライダの端面が当接することによって上記スライダのスライドストロークの終端位置となる第１および第２の凸部によって両端を支持されていることを特徴とする。
【００１６】
請求項３記載の撮像装置は、上記請求項１または２において、
上記ベースは、上記撮像素子を露出させるための開口部をさらに有し、
上記主軸および上記鍔部は、上記開口部を挟んで互いに対峙する位置であって上記開口部を遮蔽しない位置にそれぞれ配設されている
ことを特徴とする。
【００１７】
請求項４記載の撮像装置は、上記請求項１または２において、上記ガイド溝は、第１の終端位置において上記第１の凸部に当接する第１の端面からスライドストローク応じた途中位置までに配設されており、上記途中位置から第２の終端位置において上記第２の凸部に当接する第２の端面までには配設されていないことを特徴とする。
【００１８】
請求項５記載の撮像装置は、上記請求項１または２において、
上記ガイド手段は、
上記スライダの第１の端面に設けられた凹部であって第１の終端位置において上記第１の凸部が挿嵌される第１の凹部と、
上記スライダの第２の端面に設けられた凹部であって第２の終端位置において上記第２の凸部が挿嵌される第２の凹部
とをさらに有する
ことを特徴とする。
【００１９】
請求項６記載の撮像装置は、上記請求項１または２において、上記ガイド手段は、上記ガイド溝のいずれかの面を上記鍔部に向かって押圧付勢する付勢手段をさらに有することを特徴とする。
【００２０】
請求項７記載の撮像装置は、上記請求項６において、
上記付勢手段は、
上記スライダもしくは上記ベースのいずれかに形成された摺動面と、
上記ベースもしくは上記スライダのいずれかに固設され、上記摺動面を押圧しながら摺動する押圧片と
を有し、
上記摺動面は、上記スライダがスライドストロークの終端近傍に位置するときに上記押圧片が当接する領域に、上記ガイド溝のいずれかの面を上記鍔部に向かって押圧付勢するとともに上記スライダを上記スライドストロークの終端に向かって押圧付勢するためのカム斜面を有する
ことを特徴とする。
【００２１】
請求項８記載の撮像装置は、上記請求項６において、
上記ベースが固設された回路基板をさらに備え、
上記付勢手段は、上記回路基板を押圧付勢することによって、上記ガイド溝のいずれかの面を上記鍔部に向かって押圧付勢する
ことを特徴とする。
【００２２】
請求項９記載の撮像装置は、上記請求項８において、
上記付勢手段は、
上記回路基板に形成された摺動面と、
上記スライダに固設され、上記摺動面を押圧しながら摺動する導体の押圧片と
を有し、
上記摺動面は、上記押圧片の当接位置によって上記スライダの位置を検知するための導体の接点パターンを有する
ことを特徴とする。
【００２３】
【発明の実施の形態】
実施の形態１．
図１から図４は本発明の実施の形態１の撮像装置の構成を示す斜視図であって、図１はベースの構成を示す分解斜視図、図２はスライダの構成を示す分解斜視図３はスライダの構成を示す斜視図、図４は撮像装置の構成を示す分解斜視図である。
【００２４】
図１から図４において、１はベース、２は撮像素子、３は位置決め部材、４は主軸、５はスライダ、６は第１の光学系、７は第２の光学系、８は板バネ、９はネジである。また、１ａ，１ｂはベース１に設けられた凸部、１ｃはベース１に凸設された鍔部、１ｄはベース１に設けられた開口部、１ｅ，１ｆはそれぞれ凸部１ａ，１ｂに設けられた支持穴、１ｇは板バネ固設部、１ｈ，１ｉは開口部１ｄの辺である。また、５ａはスライダ５に設けられた貫通穴、５ｂ，５ｃはスライダ５に設けられた凹部、５ｄはスライダ５に設けられたガイド溝、５ｅ，５ｆはスライダ５に設けられた保持穴、５ｇはスライダ５に設けられた摺動面、５ｈ，５ｉは摺動面５ｇに設けられたカム斜面、５ｊはスライダ５に設けられたガイド部、５ｋはガイド部５ｊに設けられたスライド付勢部である。また、６ａは第１の光学系６を構成する対物レンズ、６ｂは第１の光学系６を構成する折り曲げミラー、７ａは第２の光学系７を構成する対物レンズ、８ａは板バネ８に設けられた摺動端である。
【００２５】
図１において、ベース１の表面（＋Ｚ側の面）の略中央には、裏面（−Ｚ側の面）に達するように、撮像素子２の撮像エリア面を露出するための開口部１ｄが設けられている。撮像素子２は、撮像エリア面が開口部１ｄ内に位置するように、位置決め部材３によってベース１の裏面に固設される。この撮像素子２は、撮像エリア面上に結像した光学像を電気信号に変換する。
【００２６】
また、ベース１の表面においての＋Ｘ側の端および−Ｘ側の端には、それぞれ凸部１ａ，１ｂが設けられている。これらの凸部１ａ，１ｂには、それぞれ主軸４の両端を支持するための支持穴１ｅ，１ｆが設けられている。主軸４は、支持穴１ｅ，１ｆに挿通されて凸部１ａ，１ｂにその両端を支持され、開口部１ｄを遮蔽しないように、開口部１ｄの−Ｙ側の辺１ｈおよびベース１の−Ｙ側の側面に沿って配設される。板バネ８は、ベース１の−Ｙ側の側面の＋Ｘ側に設けられた板バネ固設部１ｇにネジ９によって固設され、ベース１の−Ｙ側の側面に沿ってかつ主軸４よりもこの側面の近傍に配設される。この板バネ８は、先端の摺動端８ａをスライダ５に設けられた摺動面５ｇに当接させ、摺動面５ｇを押圧付勢することによって、ガイド溝５の＋Ｚ側の面を鍔部１ｃに向かって押圧付勢する押圧片として機能する。
【００２７】
また、鍔部１ｃは、開口部１ｄの＋Ｙ側の辺１ｉに沿って、ベース１の＋Ｙ側の側面に凸設されている。この鍔部１ｃは、この側面において＋Ｘ側の端から途中位置まで、スライダ５のスライドストロークに応じた所定の長さで設けられている。
【００２８】
図２において、第１の光学系６は、第１の対物レンズ６ａと、この第１の対物レンズ６ａの光軸を略９０度折り曲げる折り曲げミラー６ｂとによって構成される。また、第２の光学系７は、第２の対物レンズ７ａによって構成される。第１の光学系６は、＋Ｙ側からの入射光像を撮像素子２の撮像エリア面上に結像させる。また、第２の光学系７は、＋Ｚ側からの入射光像を撮像素子２の撮像エリア面上に結像させる。スライダ５の＋Ｙ側の面においての−Ｘ側に寄った位置には、第１の光学系６を保持するための保持穴５ｅが設けられており、スライダ５の＋Ｚ側の面においての＋Ｘ側に寄った位置には、第２の光学系７を保持するための保持穴５ｆが設けられている。
【００２９】
図２および図３において、スライダ５の＋Ｘ側の端面においての−Ｙ側および−Ｚ側の端には、凹部５ｂが設けられている。また、スライダ５の−Ｘ側の端面においての−Ｙ側および−Ｚ側の端には、凹部５ｃが設けられている。また、スライダ５には、主軸４（図１参照）が挿通される貫通穴５ａが設けられている。この貫通穴５ａは、ベース１の開口部１ｄを遮光しない位置に設けられている。
【００３０】
また、スライダ５の−Ｚ側の面の＋Ｙ側には、ガイド部５ｊが凸設されており、スライダ５の−Ｚ側の面とガイド部５ｊの−Ｙ側の面が交辺部には、ベース１の鍔部１ｃに嵌合するガイド溝５ｄが設けられている。また、ガイド部５ｊには、スライダ５をスライドさせるときに手動あるいは他の駆動手段によって付勢されるスライド付勢部５ｋが凸設されている。上記の交辺部は、支持穴５ｆおよび第２の光学系７の配設領域には含まれないが、ガイド部５ｊの−Ｘ側の領域には支持穴５ｅの一部が配設されているので、上記交辺部の−Ｘ側の一部は、支持穴５ｅおよび第１の光学系６の配設領域には含まれる。ガイド溝５ｄは、上記交辺部の内、支持穴５ｅおよび第１の光学系６の配設領域に干渉しないスライダ５の＋Ｘ側の端面から上記交辺部の途中位置までの一部に、スライドストロークに応じた所定の長さで設けられており、スライダ５の−Ｘ側の端面には達していない。このように、ガイド溝５ｄは、第１の光学系６および第２の光学系７のいずれにも干渉しない領域に配設されている。
【００３１】
図３において、スライダ５の−Ｙ側の側面には、摺動面５ｇが設けられている。この摺動面５ｇには、板バネ８の摺動端８ａが当接する。この摺動面５ｇにおいて、スライダ５がスライドストロークの両終端近傍に位置するときに摺動端８ａが当接する位置には、それぞれカム斜面５ｈ，５ｉが設けられている。カム斜面５ｈ，５ｉの傾斜角は、例えば略４５度である。
【００３２】
図４において、撮像素子２および板バネ８が固設されたベース１上に、ガイド溝５ｄが鍔部１ｃに嵌合し、板バネ８の摺動端８ａが摺動面５ｇに当接し、貫通穴５ａが支持穴１ｅ，１ｆに一致するように、スライダ５が載置され、支持穴１ｅ、貫通穴５ａ、および支持穴１ｆに主軸４が挿通される。これによって、貫通穴５ａはベース１の凸部１ａ，１ｂに支持された主軸４に摺動自在に嵌合し、ガイド溝５ｄは鍔部１ｃに摺動自在に嵌合する。
【００３３】
このような構成の実施の形態１の撮像装置において、ベース１に固設された板バネ８と、摺動面５ｇとは、付勢手段を構成している。そして、ベース１の凸部１ａ，１ｂと、主軸４と、スライダ５の貫通穴５ａと、ベース１の鍔部１ｃと、スライダ５のガイド溝５ｄと、上記の付勢手段とは、スライダ５をベース１にスライド自在に保持するガイド手段を構成している。貫通穴５ａを主軸４に嵌合させた第１の嵌合部、およびガイド溝５ｄを鍔部１ｃに嵌合させた第２の嵌合部によって、スライダ５はベース１にスライド自在に高い位置精度で保持される。また、スライダ５に設けられた摺動面５ｇをベース１に固設された板バネ８の摺動端８ａで押圧付勢する付勢手段によって、ガイド溝５ｄの＋Ｚ側の面は鍔部１ｃに向かって押圧付勢され、これによってスライダ５はさらに高い位置精度で保持される。
【００３４】
この実施の形態１の撮像装置の動作について以下に説明する。まず、第１の光学系６が選択されたときの動作を説明する。図５から図７は第１の光学系６が選択されたときの実施の形態１の撮像装置の図であり、図５は正面図、図６から図８は側面図である。また、図９は第１の光学系６が選択されたときの撮像光学系を示す斜視図である。なお、図６においては、ベース１とスライダ５の位置関係を理解しやすいように板バネ８を省略している。
【００３５】
スライダ５のスライドストロークの＋Ｘ側の終端位置（第１の終端位置）の近傍まで、スライダ５を＋Ｘ方向にスライドさせると、図５のように、板バネ８の摺動端８ａがスライダ５のカム斜面５ｈに当接し、板バネ８によってカム斜面５ｈが押圧付勢される。板バネ８は、カム斜面５ｈをこの面に垂直な方向に押圧付勢するので、＋Ｙ方向にスライダ５を付勢する分力と、スライダ５のスライド方向である＋Ｘ方向にスライダ５を付勢する分力を生じる。そして、上記の＋Ｘ方向の押圧付勢分力によって、スライダ５はさらに＋Ｘ方向にスライドし、図６のように、ベース１の凸部１ａがスライダ５の凹部５ｂに挿嵌され、これに当接する。この凸部１ａと凹部５ｂの当接によって、スライダ５の＋Ｘ方向のスライドストロークが規制され、スライダ５は第１の終端位置に保持され、第１の光学系６が選択されることになる。
【００３６】
スライダ５が第１の終端位置に保持されているときには、図７のように、ベース１の鍔部１ｃの略全体が、スライダ５のガイド溝５ｄに挿嵌されている。また、スライダ５が第１の終端位置に保持され、第１の光学系６が選択されているときには、第１の光学系６は、図８のように、＋Ｙ方向から入射する被写体の光像を対物レンズ６ａによって集光し、折り曲げミラー６ｂによって光路を−Ｚ方向に折り曲げることによって、＋Ｙ方向の光学像を撮像素子２の撮像エリア面上に結像させる。
【００３７】
スライダ５が第１の終端位置に保持されているとき（さらにはスライドストロークの任意の位置においても）、主軸４に貫通穴５ａを嵌合させた第１の嵌合部は、Ｙ方向およびＺ方向（スライド方向と垂直な方向）においてのスライダ５の並進運動を抑える。また、鍔部１ｃにガイド溝５ｄを嵌合させた第２の嵌合部は、ＹＺ面（スライド方向と垂直な面）においての主軸４を回転軸としたスライダ５の回転運動を抑える。これによって、スライダ５をＹＺ面において高い位置精度で保持される。
【００３８】
さらに、スライダ５が第１の終端位置に保持されているとき、板バネ８の摺動端８ａがスライダ５のカム斜面５ｈに当接し、板バネ８がカム斜面５ｈを＋Ｙ方向および＋Ｘ方向に押圧付勢する。この＋Ｙ方向の押圧付勢によって、図９のように、スライダ５に主軸４を回転中心とした付勢力（回転モーメント）が生じ、ガイド溝５ｄの＋Ｚ側の内面がベース１の鍔部１ｃに向かって押圧付勢される。これによって、スライダ５は、ＹＺ面においてさらに高い位置精度で保持される。
【００３９】
また、スライダ５が第１の終端位置に保持されているとき、上記の＋Ｘ方向の押圧付勢によって、スライダ５の凹部５ｂがこれに挿嵌されたベースの凸部１ａに押圧付勢される。これによって、スライダ５は、Ｘ方向において高い位置精度で保持される。
【００４０】
次に、第２の光学系７が選択されたときの動作を説明する。図１０から図１２は第２の光学系７が選択されたときの実施の形態１の撮像装置の図であり、図１０は正面図、図１１および図１２は側面図である。また、図１３は第２の光学系７が選択されたときの撮像光学系を示す斜視図である。なお、図１１では、なお、図６においては、ベース１とスライダ５の位置関係を理解しやすいように板バネ８を省略している。
【００４１】
スライダ５のスライドストロークの−Ｘ側の終端位置（第２の終端位置）の近傍まで、スライダ５を−Ｘ方向にスライドさせると、図１０のように、板バネ８の摺動端８ａがスライダ５のカム斜面５ｉに当接し、板バネ８によってカム斜面５ｉが押圧付勢される。板バネ８は、カム斜面５ｉをこの面に垂直な方向に押圧付勢するので、＋Ｙ方向にスライダ５を付勢する分力と、スライダ５のスライド方向である−Ｘ方向にスライダ５を付勢する分力を生じる。そして、上記の−Ｘ方向の分力による押圧付勢によって、スライダ５はさらに−Ｘ方向にスライドし、図１１のように、ベース１の凸部１ｂがスライダ５の凹部５ｃに挿嵌され、これに当接する。この凸部１ｂと凹部５ｃの当接によって、スライダ５の−Ｘ方向のスライドストロークが規制され、スライダ５は第２の終端位置に保持され、第２の光学系７が選択されることになる。
【００４２】
スライダ５が第２の終端位置に保持されているときには、図１２のように、ベース１の鍔部１ｃの内の＋Ｘ側の一部が、スライダ５のガイド溝５ｄに挿嵌されている。また、スライダ５が第２の終端位置に保持され、第２の光学系７が選択されているときには、第２の光学系７は、図１３のように、＋Ｚ方向から入射する被写体の光像を対物レンズ６ｂによって集光し、＋Ｚ方向の光学像を撮像素子２の撮像エリア面上に結像させる。
【００４３】
スライダ５が第２の終端位置に保持されているとき（さらにはスライドストロークの任意の位置においても）、主軸４に貫通穴５ａを嵌合させた第１の嵌合部は、Ｙ方向およびＺ方向（スライド方向と垂直な方向）においてのスライダ５の並進運動を抑える。また、鍔部１ｃにガイド溝５ｄを嵌合させた第２の嵌合部は、ＹＺ面（スライド方向と垂直な面）においての主軸４を回転軸としたスライダ５の回転運動を抑える。これによって、スライダ５はＹＺ面において高い位置精度で保持される。
【００４４】
さらに、スライダ５が第２の終端位置に保持されているとき、板バネ８の摺動端８ａがスライダ５のカム斜面５ｉに当接し、板バネ８がカム斜面５ｉを＋Ｙ方向および−Ｘ方向に押圧付勢する。この＋Ｙ方向の押圧付勢によって、図９と同じように、スライダ５に主軸４を回転中心とした付勢力（回転モーメント）が生じ、ガイド溝５ｄの＋Ｚ側の内面がベース１の鍔部１ｃに向かって押圧付勢される。これによって、スライダ５はＹＺ面においてさらに高い位置精度で保持される。
【００４５】
また、スライダ５が第２の終端位置に保持されているとき、上記の＋Ｘ方向の押圧付勢によって、スライダ５の凹部５ｃがこれに挿嵌されたベースの凸部１ｂに押圧付勢される。これによって、スライダ５はＸ方向において高い位置精度で保持される。
【００４６】
ここで、撮像装置においての合焦精度の低下および光軸精度の低下について説明する。合焦精度の低下は、撮像素子２に対しての光学系の距離のずれによって生じ、光軸精度の低下は、撮像素子２に対しての光学系の位置ずれによる光軸傾きあるいは光軸の並進ずれによって生じる。光学系を保持するスライダ５が、撮像素子２が固設されたベース１に対し、スライドストロークの正しい終端位置からＺ方向に並進ずれを生じて保持されると、合焦精度が低下する。また、スライダ５が、上記正しい終端位置からＸ方向またはＹ方向に並進ずれを生じて保持されると、光軸の並進ずれを生じ、光軸精度が低下する。また、スライダ５が、上記正しい終端位置からＹＺ面またはＸＺ面において回転を生じて保持されると、光軸傾きを生じ、光軸精度が低下する。なお、第１の光学系６については、ＸＹ面において回転を生じて保持されると、光軸の並進ずれを生じ、光軸精度が低下する。
【００４７】
このように実施の形態１の撮像装置においては、スライダ５をベース１にスライド自在に保持するガイド手段を、ベース１に設けた凸部１ａ，１ｂと、凸部１ａ，１ｂに支持された主軸４と、スライダ５に設けられて主軸４にスライド自在に嵌合する貫通穴５ａと、ベース１に設けられた鍔部１ｃと、スライダ５に設けられて鍔部１ｃにスライド自在に嵌合するガイド溝５ｄと、付勢手段（ベース１に固設された板バネ８およびスライダ５に設けられた摺動面５ｇ）とによって構成している。
【００４８】
この実施の形態１のガイド手段は、主軸４に貫通穴５ａを嵌合させた第１の嵌合部によって、Ｙ方向およびＺ方向（スライド方向と垂直な方向）においてのスライダ５の並進運動を抑えるとともに、鍔部１ｃにガイド溝５ｄを嵌合させた第２の嵌合部よって、ＹＺ面（スライド方向と垂直な面）においての主軸４を回転軸としたスライダ５の回転運動を抑える。これら第１および第２の嵌合部によって、スライダ５をＹＺ面において高い位置精度で保持することができるので、高い合焦精度および光軸精度でスライダ５を保持することができる。
【００４９】
また、この実施の形態１のガイド手段は、上記第１および第２の嵌合部、ならびに主軸４を凸部１ａ，１ｂで支持する機構によって実現されており、第１の嵌合部は溝を凸部に嵌合させた簡単な構成であり、第２の嵌合部および主軸４を支持する機構は、貫通穴に軸を挿通した簡単な構成である。また、このガイド手段を構成する部品（部位）は、凸部１ａ，１ｂ、主軸４、貫通穴５ａ、鍔部１ｃ、ガイド溝５ｄの５つのみである。従って、このガイド手段の構成は簡単である。
【００５０】
また、この実施の形態１のガイド手段は、スライダ５のガイド溝５ａをベース１の鍔部１ｃに嵌合させ、主軸４を、ベース１の凸部１ａ、スライダ５の貫通穴５ｄ、およびベース１の凸部１ｂに挿通するだけで、組み立てることができるので、このガイド手段の組立手順は簡単である。
【００５１】
また、この実施の形態１のガイド手段を構成している上記の部品（部位）の配設のために必要なスペースは、スライダ５およびベース１が占有するスペースの内の僅かなスペースなので、このガイド手段によって、コンパクトな撮像装置を実現できる。
【００５２】
ここで、ＹＺ面においてのスライダ５の回転ずれを抑えるためには、第１の嵌合部と第２の嵌合部がＹＺ面において離れて配設されていることが望ましい。ＹＺ面において第１の嵌合部と第２の嵌合部が近づいて配設されているほど、嵌合部のがたつきによるスライダ５の回転角が大きくなり、上記のがたつきがスライダ５の傾きに大きく反映されてしまうからである。しかし、そのためにベース１やスライダ５のサイズを大きくすることは、コンパクトな撮像装置を実現する上で望ましいことではない。スライダ５の回転ずれを抑え、かつベース１やスライダ５のサイズをコンパクトにするためには、第１の嵌合部および第２の嵌合部を、撮像素子２の撮像エリア面を露出させる開口部１ｄを挟んで互いに対峙するように、ベース１およびスライダ５に配設することが望ましい。
【００５３】
この実施の形態１のガイド手段では、開口部１ｄを挟んで互いに対峙するように、上記第１および第２の嵌合部を配設しているので、ベース１やスライダ５のサイズをコンパクトにしたままで、スライダ５の回転ずれを抑えることができる。このように開口部１ｄを挟んで上記第１および第２の嵌合部を配設することによって、さらに高い合焦精度および光軸精度を確保することができるとともに、さらにコンパクトな撮像装置を実現できる。
【００５４】
また、この実施の形態１のガイド手段では、ガイド溝５ｄは、スライドストロークに応じた所定の長さで凹部５ｂ側の端部から途中位置までに配設されており、凹部５ｃ側の端部には達ていない。また、鍔部１ｃも、スライドストロークに応じた所定の長さで凸部１ａ側の端部から途中位置までに配設されており、凸部１ｂ側の端部には達していない。このように、ガイド溝５ｄおよび鍔部１ｃを、第１の終端位置側の端部からスライドストロークに応じた途中位置までに配設することによって、ガイド溝５ｄと鍔部１ｃからなる第２の嵌合部をコンパクトにすることができるので、さらにコンパクトな撮像装置を実現できるとともに、第１の光学系６および第２の光学系７に干渉せずにガイド溝５ｄを設けることができる。
【００５５】
また、この実施の形態１のガイド手段では、スライダ５の端面に凹部５ｂ，５ｃを設け、スライダ５が第１の終端位置にあるときには、ベース１の凸部１ａがスライダ５の凹部５ｂに挿嵌され、スライダ５が第２の終端位置にあるときには、ベース１の凸部１ｂがスライダ５の凹部５ｃに挿嵌される。これによって、スライドストロークを確保しつつ、ベース１のＺ方向のサイズをコンパクトにできるので、コンパクトな撮像装置を実現できる。
【００５６】
また、この実施の形態１のガイド手段では、板バネ８の摺動端８ａでスライダ５の摺動面５ｇを押圧付勢することによって、ガイド溝５ｄを鍔部１ｃに押圧付勢する付勢手段を設けているので、上記第２の嵌合部のがたつきを抑え、さらに高い合焦精度および光軸精度を確保することができる。
【００５７】
この実施の形態１の付勢手段では、スライダ５がスライドストロークの終端近傍に位置するときに摺動端８ａが当接する摺動面５ｇの領域に、スライダ５をスライドストロークの終端位置に向かって＋Ｘ方向または−Ｘ方向に押圧付勢するカム斜面５ｈ，５ｉを設け、スライダ５をスライド方向に押圧付勢することによって、スライダ５をスライド方向に高い位置精度で保持することができるので、さらに高い合焦精度および光軸精度を確保することができる。
【００５８】
以上のように実施の形態１によれば、スライダ５をベース１にスライド自在に保持するガイド手段を、ベース１に設けられた凸部１ａ，１ｂと、これらの凸部１ａ，１ｂに支持された主軸４と、スライダ５に設けられて主軸４にスライド自在に嵌合する貫通穴５ａと、ベース１に設けられた鍔部１ｃと、スライダ５に設けられて鍔部１ｃにスライド自在に嵌合するガイド溝５ｄと、付勢手段（ベース１に固設された板バネ８およびスライダ５に設けられた摺動面５ｇ）とによって構成したことにより、ガイド手段の構成および組立手順が簡単であり、かつ高い合焦精度および光軸精度を確保することができ、かつコンパクトな撮像装置を実現できる。
【００５９】
実施の形態２．
図１４から図１６は本発明の実施の形態２の撮像装置の構成を示す斜視図であって、図１４はベースの構成を示す分解斜視図、図１５はスライダの構成を示す分解斜視図、図１６は撮像装置の構成を示す分解斜視図である。
【００６０】
図１４から図１６において、図１から図４と同じものには同じ符号を付してあり、１１はベース、１５はスライダ、１８は板バネである。また、１１ｇはベース１１に設けられた摺動面、１１ｈ，１１ｉは摺動面１１ｇに設けられたカム斜面、１５ｊはスライダ１５に設けられたガイド部、１５ｇはガイド部１５ｊに設けられた板バネ固設部、１８ａは板バネ１８に設けられた摺動端である。
【００６１】
この実施の形態２の撮像装置は、上記実施の形態１の撮像装置（図１から図４参照）において、ベース１をベース１１とし、スライダ５をスライダ１５とし、スライダ５に設けられた摺動面５ｇをベース１１に設けられた摺動面１１ｇとし、ベース１に固設された板バネ８をスライダ５に固設された板場バネ１８とし、ベース１に設けられた板バネ固設部１ｇをスライダ５に設けられた板場バネ固設部１５ｇとしたものである。
【００６２】
図１４のように、ベース１１は、上記実施の形態１のベース１（図１参照）において、板バネ固設部１ｇを設けず、鍔部１ｃを設けていた位置に鍔部１１ｃを設けたものである。鍔部１１ｃの−Ｚ側の面には、摺動面１１ｇが設けられている。鍔部１１ｃは、摺動面１１ｇが設けられるため、ベース１１の＋Ｘ側の側面に凸設されて摺動面１１ｇが設けられる部分と、この部分に凸設されてスライダ１５のガイド溝５ｄに嵌合する部分（上記実施の形態１の鍔部１ｃに相当する部分）によって構成されている。この鍔部１１ｃも、上記実施の形態１の鍔部１ｃと同じように、ベース１１の＋Ｙ側の側面において＋Ｘ側の端から途中位置まで、スライダ５のスライドストロークに応じた所定の長さで設けられている。
【００６３】
また、鍔部１ｃに設けたられた摺動面１１ｇには、板バネ１８の摺動端１８ａが当接する。この摺動面１１ｇにおいて、スライダ１５がスライドストロークの両終端近傍に位置するときに摺動端１８ａが当接する位置には、それぞれカム斜面１１ｈ，１１ｉが設けられている。カム斜面１１ｈ，１１ｉの傾斜角は、例えば略４５度である。
【００６４】
図１５のように、スライダ１５は、上記実施の形態１のスライダ５（図２および図３参照）において、ガイド部５ｊを設けていた位置にガイド部１５ｊを設けたものである。ガイド部１５ｊには、板バネ固設部１５ｇが設けれている。板バネ１８は、板バネ固設部１５ｇにネジ９によって固設され、ガイド溝５ｄ沿ってに配設される。この板バネ１８は、先端の摺動端１８ａをベース１１の鍔部１１ｃに設けられた摺動面１１ｇに当接させ、摺動面１１ｇを押圧付勢することによって、ガイド溝５の＋Ｚ側の面を鍔部１１ｃに向かって押圧付勢する押圧片として機能する。
【００６５】
図１６において、撮像素子２が固設されたベース１１上に、ガイド溝５ｄが鍔部１ｃに嵌合し、スライダ１５に固設された板バネ１８の摺動端１８ａが摺動面１１ｇに当接し、貫通穴５ａが支持穴１ｅ，１ｆに一致するように、スライダ１５が載置され、支持穴１ｅ、貫通穴５ａ、および支持穴１ｆに主軸４が挿通される。これによって、貫通穴５ａはベース１の凸部１ａ，１ｂに支持された主軸４に摺動自在に嵌合し、ガイド溝５ｄは鍔部１１ｃに摺動自在に嵌合する。
【００６６】
このような構成の実施の形態２の撮像装置において、スライダ１５に固設された板バネ１８と、摺動面１１ｇとは、付勢手段を構成している。そして、ベース１１の凸部１ａ，１ｂと、主軸４と、スライダ１５の貫通穴５ａと、ベース１１の鍔部１１ｃと、スライダ１５のガイド溝５ｄと、上記の付勢手段とは、スライダ５をベース１にスライド自在に保持するガイド手段を構成している。貫通穴５ａを主軸４に嵌合させた第１の嵌合部、およびガイド溝５ｄを鍔部１１ｃに嵌合させた第２の嵌合部によって、スライダ１５はベース２１にスライド自在に高い位置精度で保持される。また、ベース１１の鍔部１１ｃに設けられた摺動面１１ｇをスライダ１５に固設された板バネ１８の摺動端１８ａで押圧付勢する付勢手段によって、ガイド溝５ｄの＋Ｚ側の面は鍔部１１ｃに向かって押圧付勢され、これによってスライダ１５はさらに高い位置精度で保持される。
【００６７】
この実施の形態２の撮像装置の動作について以下に説明する。まず、第１の光学系６が選択されたとき動作を説明する。図１７は第１の光学系６が選択されたときの実施の形態２の撮像装置の図であり、図１７は斜視図、図１８は側面図である。図１７においては、付勢手段の様子を理解しやすいようにスライダ１５を省略している。
【００６８】
スライダ１５のスライドストロークの＋Ｘ側の終端位置（第１の終端位置）の近傍まで、スライダ１５を＋Ｘ方向にスライドさせると、図１７のように、板バネ１８の摺動端１８ａがベース１１のカム斜面１１ｈに当接し、板バネ１８によってカム斜面１１ｈが押圧付勢される。板バネ１８は、カム斜面１１ｈをこの面に垂直な方向に押圧付勢するので、＋Ｚ方向にベース１１を付勢する分力と、スライダ１５のスライド方向と逆の−Ｘ方向にベース１１を付勢する分力を生じる。つまり、−Ｚ方向にスライダ１５を付勢する分力と、スライド方向である＋Ｘ方向にスライダ１５を付勢する分力を生じる。そして、上記の＋Ｘ方向の押圧付勢分力によって、スライダ１５はさらに＋Ｘ方向にスライドし、ベース１の凸部１ａがスライダ１５の凹部５ｂに挿嵌され、これに当接する。この凸部１ａと凹部５ｂの当接によって、スライダ１５の＋Ｘ方向のスライドストロークが規制され、スライダ１５は第１の終端位置に保持され、第１の光学系６が選択されることになる。
【００６９】
スライダ１５が第１の終端位置に保持されているとき、板バネ１８の摺動端１８ａがベース１１のカム斜面１１ｈに当接し、板バネ１８がカム斜面１１ｈを＋Ｚ方向および−Ｘ方向に押圧付勢する。つまり、板バネ１８は、スライダ１５を−Ｚ方向および＋Ｘ方向に押圧付勢する。この−Ｚ方向の押圧付勢によって、図１８のように、スライダ１５に主軸４を回転中心とした付勢力（回転モーメント）が生じ、ガイド溝５ｄの＋Ｚ側の内面がベース１１の鍔部１１ｃに向かって押圧付勢される。これによって、スライダ１５は、ＹＺ面において、付勢手段を設けない場合よりもさらに高い位置精度で保持される。
【００７０】
また、スライダ１５が第１の終端位置に保持されているとき、上記の＋Ｘ方向の押圧付勢によって、スライダ１５の凹部５ｂがこれに挿嵌されたベース１１の凸部１ａに押圧付勢される。これによって、スライダ１５は、Ｘ方向において高い位置精度で保持される。
【００７１】
次に、第２の光学系７が選択されたとき動作を説明する。図１９は第２の光学系７が選択されたときの実施の形態２の撮像装置の斜視図である。なお、図１９においては、付勢手段の様子を理解しやすいようにスライダ１５を省略している。
【００７２】
スライダ１５のスライドストロークの−Ｘ側の終端位置（第２の終端位置）の近傍まで、スライダ１５を−Ｘ方向にスライドさせると、図１９のように、板バネ１８の摺動端１８ａがベース１１のカム斜面１１ｉに当接し、板バネ１８によってカム斜面５ｉが押圧付勢される。板バネ１８は、カム斜面１１ｉをこの面に垂直な方向に押圧付勢するので、＋Ｚ方向にベース１１を付勢する分力と、スライダ１５のスライド方向と逆の＋Ｘ方向にベース１１を付勢する分力を生じる。つまり、−Ｚ方向にスライダ１５を付勢する分力と、スライド方向である−Ｘ方向にスライダ１５を付勢する分力を生じる。そして、上記の−Ｘ方向の分力による押圧付勢によって、スライダ１５はさらに−Ｘ方向にスライドし、ベース１の凸部１ｂがスライダ１５の凹部５ｃに挿嵌され、これに当接する。この凸部１ｂと凹部５ｃの当接によって、スライダ１５の−Ｘ方向のスライドストロークが規制され、スライダ５は第２の終端位置に保持され、第２の光学系７が選択されることになる。
【００７３】
スライダ１５が第２の終端位置に保持されているとき、板バネ１８の摺動端１８ａがベース１１のカム斜面１１ｉに当接し、板バネ１８がカム斜面１１ｉを＋Ｚ方向および＋Ｘ方向に押圧付勢する。つまり、板バネ１８は、スライダ１５を−Ｚ方向および−Ｘ方向に押圧付勢する。この−Ｚ方向の押圧付勢によって、図１８と同じように、スライダ１５に主軸４を回転中心とした付勢力（回転モーメント）が生じ、ガイド溝５ｄの＋Ｚ側の内面がベース１１の鍔部１１ｃに向かって押圧付勢される。これによって、スライダ１５は、ＹＺ面において、付勢手段を設けない場合よりもさらに高い位置精度で保持される。
【００７４】
また、スライダ１５が第２の終端位置に保持されているとき、上記の−Ｘ方向の押圧付勢によって、スライダ１５の凹部５ｃがこれに挿嵌されたベース１１の凸部１ｂに押圧付勢される。これによって、スライダ１５は、Ｘ方向において高い位置精度で保持される。
【００７５】
このように実施の形態２の撮像装置においては、スライダ１５をベース１１にスライド自在に保持するガイド手段を、ベース１１に設けた凸部１ａ，１ｂと、凸部１ａ，１ｂに支持された主軸４と、スライダ１５に設けられて主軸４にスライド自在に嵌合する貫通穴５ａと、ベース１１に設けられた鍔部１１ｃと、スライダ１５に設けられて鍔部１１ｃにスライド自在に嵌合するガイド溝５ｄと、付勢手段（スライダ１５に固設された板バネ１８およびベース１の鍔部１１ｃに設けられた摺動面１１ｇ）とによって構成している。
【００７６】
この実施の形態２のガイド手段は、鍔部１１ｃ、板バネ固設部１５ｇ、および付勢手段（板バネ１８および摺動面１１ｇ）の構成および配設位置が異なるが、上記実施の形態１のガイド手段と同じ機能を備えている。つまり、実施の形態２のガイド手段は、上記実施の形態１のガイド手段において、付勢手段の押圧片（板バネ１８）をスライダ１５に配設し、付勢手段の摺動面（摺動面１１ｇ）をベース１１に配設したものであり、上記実施の形態１のガイド手段と同じ機能を備えている。また、実施の形態２のガイド手段を実現するのに必要なスペースおよび実施の形態２のガイド手段の組立手順は、上記実施の形態１のガイド手段とほぼ同じである。従って、この実施の形態２のガイド手段によれば、上記実施の形態１のガイド手段と同じように、簡単な構成および組立手順で実現でき、かつ高い焦点精度および光軸性を確保することができ、かつコンパクトな撮像装置を実現できる。
【００７７】
以上のように実施の形態２によれば、スライダ１５をベース１１にスライド自在に保持するガイド手段を、ベース１１に設けられた凸部１ａ，１ｂと、これらの凸部１ａ，１ｂに支持された主軸４と、スライダ１５に設けられて主軸４にスライド自在に嵌合する貫通穴５ａと、ベース１１に設けられた鍔部１１ｃと、スライダ１５に設けられて鍔部１１ｃにスライド自在に嵌合するガイド溝５ｄと、付勢手段（スライダ１５に固設された板バネ１８およびベース１１に設けられた摺動面１１ｇ）とによって構成したことにより、上記実施の形態１と同じように、ガイド手段の構成および組立手順が簡単であり、かつ高い合焦精度および光軸精度を確保することができ、かつコンパクトな撮像装置を実現できる。
【００７８】
実施の形態３
図２０から図２２は本発明の実施の形態３の撮像装置の構成を示す斜視図であって、図２０はスライダの構成を示す分解斜視図、図２１は回路基板の正面図、図２２は撮像装置の側面図である。
【００７９】
図２０から図２２において、図１から図４と同じものには同じ符号を付してあり、１０は回路基板、２１はベース、２５はスライダ、２８は板バネである。また、１０ｇは回路基板１０に設けられた摺動面、１０ａ，１０ｂ，１０ｃは回路基板１０の摺動面１０ｇに設けられた導体の接点パターン、２８ａ，２８ｂは板バネ２８に設けられた摺動端である。
【００８０】
この実施の形態３の撮像装置は、上記実施の形態１の撮像装置（図１から図４参照）において、回路基板１０を設け、ベース１をベース２１とし、スライダ５をスライダ２５とし、スライダ５に設けられた摺動面５ｇを回路基板１０に設けられた摺動面１０ｇとし、ベース１に固設された板場バネ８をスライダ５に固設された板場バネ２８としたものである。ベース２１は、ベース１（図１参照）において、板場バネ固設部１ｇを設けないようにしたものである。このベース２１は、回路基板１０に固設される。また、スライダ２５は、スライダ５（図３参照）において、摺動面５ｇを設けないようにしたものである。
【００８１】
図２０のように、板バネ２８は、ネジ９によってスライダ２５のガイド部５ｊに固設される。この板バネ２８は、導電体からなり、先端が二股に分かれており、この先端に２つの摺動端２８ａ，２８ｂを有する。板バネ２８は、先端の摺動端２８ａ，２８ｂを、ベース２１が固設される回路基板１０に設けられた摺動面１０ｇに当接させ、摺動面１０ｇを押圧付勢することによって、スライダ２５のガイド溝５の＋Ｚ側の面をベース２１の鍔部１ｃに向かって押圧付勢する押圧片として機能する。
【００８２】
図２１において、回路基板１０には、摺動面１０が設けられており、この摺動面１０には、板バネ２８の摺動端２８ａ，２８ｂの当接位置によってスライダ２５の位置を検知するための導体の接点パターン１０ａ，１０ｂ，１０ｃが設けられている。接点パターン１０ａは、スライダ２５のスライドストロークに応じた摺動端２８ａの摺動領域の全域に設けられており、接点パターン１０ｂおよび１０ｃは、上記スライドストロークに応じた摺動端２８ｂの摺動領域に設けられている。摺動端２８ｂの摺動領域において、接点パターン１０ｂは＋Ｘ側の一部の領域に、接点パターン１０ｃは−Ｘ側の一部の領域にそれぞれ設けられており、これらの領域の間には導体パターンが設けられていない。スライダ２５が＋Ｘ側の終端位置（第１の終端位置）に保持されているときおよび第１の終端位置の近傍に位置するときには、摺動端２８ｂは接点パターン１０ｂに当接し、スライダ２５が−Ｘ側の終端位置（第２の終端位置）に保持されているときおよび第２の終端位置の近傍に位置するときには、摺動端２８ｂは接点パターン１０ｃに当接する。
【００８３】
図２２において、例えば、撮像素子２が固設されたベース２１上にスライダ２５を載置し、貫通穴５ａに主軸４を挿通することによって、貫通穴５ａを主軸４に摺動自在に嵌合させ、ガイド溝５ｄを鍔部１１ｃに摺動自在に嵌合させる。そして、このようにスライダ２５が配設されたベース２１を、スライダ２５に固設された板バネ２８の摺動端２８ａ，２８ｂが回路基板１０の摺動面１０ｇに当接するように、回路基板１１に固設する。
【００８４】
このような構成の実施の形態３の撮像装置において、スライダ２５に固設された板バネ２８と、回路基板１０の摺動面１０ｇとは、付勢手段を構成している。そして、ベース２１の凸部１ａ，１ｂと、主軸４と、スライダ２５の貫通穴５ａと、ベース２１の鍔部１ｃと、スライダ２５のガイド溝５ｄと、上記の付勢手段とは、スライダ２５をベース２１にスライド自在に保持するガイド手段を構成している。貫通穴５ａを主軸４に嵌合させた第１の嵌合部、およびガイド溝５ｄを鍔部１ｃに嵌合させた第２の嵌合部によって、スライダ２５はベース２１にスライド自在に高い位置精度で保持される。また、ベース２１が固設された回路基板１０の摺動面１０ｇをスライダ２５に固設された板バネ１８の摺動端１８ａで押圧付勢する付勢手段によって、ガイド溝５ｄの＋Ｚ側の面は鍔部１ｃに向かって押圧付勢され、これによってスライダ２５はさらに高い位置精度で保持される。
【００８５】
さらに、この実施の形態３の付勢手段において、板バネ２８は、導体からなり、その先端に二股に分かれた摺動部２８ａ，２８ｂを有する。また、摺動面１０ｇには、摺動部２８ａが摺動する導体の接点パターン１０ａ、スライダ２５が第１の終端位置およびその近傍に位置するときに摺動部２８ｂが摺動する導体の接点パターン１０ｂ、およびスライダ２５が第２の終端位置およびその近傍に位置するときに摺動部２８ｂが摺動する導体の接点パターン１０ｃが設けられている。従って、接点パターン１０ａと１０ｂの導通、および接点パターン１０ａと１０ｃの導通を検知することによって、スライダ２５に位置を検知することできる。この実施の形態３の撮像装置では、回路基板１０において、接点パターン１０ａと１０ｂの導通信号、および接点パターン１０ａと１０ｃの導通信号を生成する。これらの導通信号をもとに、他の信号処理回路において、スライダ２５の位置（選択されている光学系）を認識することができる。
【００８６】
この実施の形態３の撮像装置の動作について以下に説明する。スライダ２５のスライドストロークの任意の位置において、板バネ２８の摺動端２８ａ，２８ｂがベース２１が固設された回路基板１０の摺動面１０ｇに当接し、板バネ８が摺動面１０ｇを−Ｚ方向に押圧付勢する。つまり、板バネ２８は、スライダ２５を＋Ｚ方向に押圧付勢する。この＋Ｚ方向の押圧付勢によって、図２２のように、スライダ２５に主軸４を回転中心とした付勢力（回転モーメント）が生じ、ガイド溝５ｄの−Ｚ側の内面がベース２１の鍔部１ｃに向かって押圧付勢される。これによって、スライダ２５は、付勢手段を設けない場合よりも高い位置精度で保持される。
【００８７】
以下、スライダ２５の位置検知手順を主に説明する。先に説明したように、この実施の形態３の撮像装置では、回路基板１０において、接点パターン１０ａと１０ｂの導通信号、および接点パターン１０ａと１０ｃの導通信号を生成する。図２３から図２５は本発明の実施の形態３の撮像装置の斜視図であって、図２３は第１の光学系６が選択されてスライダ２５が第１の終端位置に保持されたときの斜視図、図２４は第２の光学系７が選択されてスライダ２５が第２の終端位置に保持されたときの斜視図、図２５は光学系選択途中においてスライダ２５が第１の終端位置と第２の終端位置の途中に位置するときの斜視図である。
【００８８】
図２３において、第１の光学系６が選択され、スライダ２５が第１の終端位置に保持されたときには、板バネ２８の摺動端２８ａは接点パターン部１０ａに当接し、摺動端２８ｂは接点パターン部１０ｂに当接するので、接点パターン部１０ａと１０ｂは板バネ２８を介して導通するが、接点パターン部１０ａと１０ｃは導通しない。従って、接点パターン部１０ａと１０ｂの導通信号が生成される。この導通信号をもとに、他の信号処理回路において、スライダ２５が第１の終端位置に保持されていること（第１の光学系６が選択されていること）を認識できる。
【００８９】
図２４において、第２の光学系７が選択され、スライダ２５が第２の終端位置に保持されたときには、板バネ２８の摺動端２８ａは接点パターン部１０ａに当接し、摺動端２８ｂは接点パターン部１０ｃに当接するので、接点パターン部１０ａと１０ｂは導通しないが、接点パターン部１０ａと１０ｃは板バネ２８を介して導通する。従って、接点パターン部１０ａと１０ｃの導通信号が生成される。この導通信号をもとに、他の信号処理回路において、スライダ２５が第２の終端位置に保持されていること（第２の光学系７が選択されていること）を認識できる。
【００９０】
図２５において、第１の光学系６と第２の光学系７の切換途中であり、スライダ２５が第１の終端位置と第２の終端位置の間に位置するときには、板バネ２８の摺動端２８ｂは、接点パターン部１０ｂおよび１０ｃにいずれにも当接していないので、接点パターン部１０ａと１０ｂ、および接点パターン部１０ａと１０ｂは、いずれも導通しない。従って、いずれの導通信号も生成されない。いずれの導通信号も生成されないことをもとに、他の信号処理回路において、スライダ２５が第１の終端位置と第２の終端位置の間に位置すること（第１の光学系６および第２の光学系７のいずれも選択されていないこと）を認識できる。
【００９１】
このように実施の形態３の撮像装置においては、スライダ２５をベース２１にスライド自在に保持するガイド手段を、ベース１に設けた凸部１ａ，１ｂと、凸部１ａ，１ｂに支持された主軸４と、スライダ２５に設けられて主軸４にスライド自在に嵌合する貫通穴５ａと、ベース２１に設けられた鍔部１ｃと、スライダ２５に設けられて鍔部１ｃにスライド自在に嵌合するガイド溝５ｄと、付勢手段（スライダ２５に固設された板バネ２８およびベース２１が固設される回路基板１０の摺動面１０ｇ）とによって構成している。
【００９２】
この実施の形態３のガイド手段は、付勢手段（板バネ２８および摺動面１０ｇ）の構成および配設位置が異なるが、上記実施の形態１のガイド手段と同じ機能を備えている。つまり、実施の形態３のガイド手段は、上記実施の形態１のガイド手段において、付勢手段の押圧片（板バネ２８）をスライダ２５に配設し、付勢手段の摺動面（摺動面１０ｇ）をベース２１が固設される回路基板１０に配設したものであり、上記実施の形態１のガイド手段と同じ機能を備えている。また、実施の形態３のガイド手段の組立手順は、上記実施の形態１のガイド手段とほぼ同じである。従って、この実施の形態３のガイド手段によれば、上記実施の形態１のガイド手段と同じように、簡単な構成および組立手順で実現でき、かつ高い焦点精度および光軸性を確保することができる。
【００９３】
また、実施の形態３のガイド手段では、付勢手段を、スライダ２５に固設された板バネ２８およびベース２１が固設される回路基板１０に設けられた摺動面１０ｇによって構成しているので、上記実施の形態１においてベース１に設けていた板バネ固設部１ｇおよびスライダ５に設けていた摺動面５ｇを、ベース２１およびスライダ２５に設ける必要がない。このため、実施の形態３のガイド手段を実現するためのスペースは、上記実施の形態１のガイド手段を実現するためのスペースよりもコンパクトになる。従って、上記実施の形態１よりもさらにコンパクトな撮像装置を実現できる。また、回路基板１０は、ベース２１よりもサイズが大きいので、上記実施の形態１および２よりも付勢手段を設ける位置の自由度が大きくなる。
【００９４】
さらに、実施の形態３のガイド手段では、付勢手段の押圧片（板バネ２８）を導体とし、付勢手段の摺動面（摺動面１０ｇ）に導体の接点パターン（接点パターン１０ａ，１０ｂ，１０ｃ）を設けたので、押圧片と接点パターンの導通によってスライダ２５の位置を検知できる。これによって、スライダ２５の位置を検知するためのプッシュ式のスイッチやフォトセンサなどの光学的スイッチを実装する必要がない。これによって、上記のスイッチを実装するためのスペースを確保する必要がなくなり、実装部品数が削減でき、フォトセンサのような光学的スイッチに供給する電源を配設する必要がなくなるので、さらにコンパクトな撮像装置を実現でき、製造コストを低減することができる。
【００９５】
以上のように実施の形態３によれば、スライダ２５をベース２１にスライド自在に保持するガイド手段を、ベース２１に設けられた凸部１ａ，１ｂと、これらの凸部１ａ，１ｂに支持された主軸４と、スライダ２５に設けられて主軸４にスライド自在に嵌合する貫通穴５ａと、ベース２１に設けられた鍔部１ｃと、スライダ２５に設けられて鍔部１ｃにスライド自在に嵌合するガイド溝５ｄと、付勢手段（スライダ２５に固設された板バネ２８およびベース２１が固設される回路基板１０の摺動面１０ｇ）とによって構成したことにより、上記実施の形態１と同じように、ガイド手段の構成および組立手順が簡単であり、かつ高い合焦精度および光軸精度を確保することができ、かつコンパクトな撮像装置を実現できる。
【００９６】
さらに、付勢手段の押圧片（板バネ２８）を導体とし、付勢手段の摺動面（摺動面１０ｇ）に導体の接点パターン（接点パターン１０ａ，１０ｂ，１０ｃ）を設けたことにより、付勢手段の導通を検知することによってスライダ２５の位置を検知することができ、スライダ２５の位置を検知するためのセンサを設ける必要がないので、さらにコンパクトな撮像装置を実現できるとともに、製造コストを低減することができる。
【００９７】
なお、上記実施の形態１および２においては、摺動面のカム斜面の傾斜角を略４５度としたが、この傾斜角は、付勢手段の押圧片の構造に応じて、最適な押圧付勢分力が得られるような任意の角度に設定することが可能である。また、上記実施の形態１から３においては、折り曲げミラー６ｂを用いて第１の光学系６を構成したが光路を略９０度に屈曲させることができる他の手段、例えばプリズム等を用いて第１の光学系６を構成することも可能である。また、上記実施の形態１から３においては、付勢手段を構成する押圧片として、板バネを用いているが、押圧付勢が可能な他の手段、例えばコイルバネ等を用いることも可能である。
【００９８】
【発明の効果】
以上説明したように本発明の請求項１記載の撮像装置によれば、スライダに設けられた貫通穴と、貫通穴に挿通された主軸と、ベースに設けられた鍔部と、スライダに設けられて上記鍔部にスライド自在に嵌合するガイド溝とによってガイド手段を構成したことにより、ガイド手段の構成および組立手順が簡単で、かつ高い合焦精度および光軸精度を確保することができる撮像装置を得ることができるという効果がある。
【００９９】
請求項２記載の撮像装置によれば、主軸をベースに設けた第１および第２の凸部で支持したので、高い合焦精度および光軸精度を確保し、かつコンパクトな撮像装置を実現できるという効果がある。
【０１００】
請求項３記載の撮像装置によれば、ガイド手段を構成する上記第１の嵌合部と上記第２の嵌合部とを、撮像素子を露出させる開口部の両側に配設したことにより、ガイド手段の配設スペースをさらに狭くすることができるので、さらにコンパクトな撮像装置を実現できるという効果がある。
【０１０１】
請求項４記載の撮像装置によれば、スライダにおいて、第１の端面からスライドストロークに応じた途中位置までにガイド溝を配設したことにより、上記第２の嵌合部のスペースを小さくすることができるので、第１および第２の光学系に干渉せずにガイド溝を配設することができるとともに、さらにコンパクトな撮像装置を実現できるという効果がある。
【０１０２】
請求項５記載の撮像装置によれば、スライダの第１，第２の端面に、ベースの第１，第２の凸部が挿嵌される第１，第２の凹部を設けたことにより、スライドストロークを確保しつつ、コンパクトな撮像装置を実現できるという効果がある。
【０１０３】
請求項６記載の撮像装置によれば、ガイド溝を鍔部に押圧付勢する付勢手段を設けたことにより、さらに高い合焦精度および光軸精度を確保できるという効果がある。
【０１０４】
請求項７記載の撮像装置によれば、スライダがスライドストロークの終端近傍に位置するときに押圧片が当接する摺動面の領域に、スライダをスライドストロークの終端位置に向かって押圧付勢するためのカム斜面を設けたことにより、さらに高い合焦精度および光軸精度を確保できるという効果がある。
【０１０５】
請求項８記載の撮像装置によれば、ベースが固設された回路基板を押圧付勢することによって、ガイド溝のいずれかの面を上記鍔部に向かって押圧付勢する付勢手段を設けたことにより、さらに高い合焦精度および光軸精度を確保できるとともに、付勢手段を設ける位置の自由度が大きくなるという効果がある。
【０１０６】
請求項９記載の撮像装置によれば、押圧片を導体にするとともに、回路基板の摺動面に、スライダの位置を検知するための導体の接点パターンを設けたことにより、スライダの位置を検知するためのセンサを実装する必要がなくなるので、さらにコンパクトな撮像装置を実現できるとともに、製造コストを低減できるという効果がある。
【図面の簡単な説明】
【図１】  本発明の実施の形態１の撮像装置のベースの構成を示す分解斜視図である。
【図２】  本発明の実施の形態１の撮像装置のスライダの構成を示す分解斜視図である。
【図３】  本発明の実施の形態１の撮像装置のスライダの構成を示す斜視図である。
【図４】  本発明の実施の形態１の撮像装置の分解斜視図である。
【図５】  第１の光学系が選択されたときの本発明の実施の形態１の撮像装置の正面図である。
【図６】  第１の光学系が選択されたときの本発明の実施の形態１の撮像装置の側面図である。
【図７】  第１の光学系が選択されたときの本発明の実施の形態１の撮像装置の側面図である。
【図８】  第１の光学系が選択されたときの本発明の実施の形態１の撮像装置の側面図である。
【図９】  第１の光学系が選択されたときの本発明の実施の形態１の撮像装置の撮像光学系を示す斜視図である。
【図１０】  第２の光学系が選択されたときの本発明の実施の形態１の撮像装置の正面図である。
【図１１】  第２の光学系が選択されたときの本発明の実施の形態１の撮像装置の側面図である。
【図１２】  第２の光学系が選択されたときの本発明の実施の形態１の撮像装置の側面図である。
【図１３】  第２の光学系が選択されたときの本発明の実施の形態１の撮像装置の撮像光学系を示す斜視図である。
【図１４】  本発明の実施の形態２の撮像装置のベースの構成を示す分解斜視図である。
【図１５】  本発明の実施の形態２の撮像装置のスライダの構成を示す分解斜視図である。
【図１６】  本発明の実施の形態２の撮像装置の分解斜視図である。
【図１７】  第１の光学系が選択されたときの本発明の実施の形態２の撮像装置の斜視図である。
【図１８】  第１の光学系が選択されたときの本発明の実施の形態２の撮像装置の側面図である。
【図１９】  第２の光学系が選択されたときの本発明の実施の形態２の撮像装置の斜視図である。
【図２０】  本発明の実施の形態３の撮像装置のスライダの構成を示す分解斜視図である。
【図２１】  本発明の実施の形態３の撮像装置の回路基板の正面図である。
【図２２】  本発明の実施の形態３の撮像装置の側面図である。
【図２３】  第１の光学系が選択されたときの本発明の実施の形態３の撮像装置の斜視図である。
【図２４】  第２の光学系が選択されたときの本発明の実施の形態３の撮像装置の斜視図である。
【図２５】  光学系選択途中においての本発明の実施の形態３の撮像装置の斜視図である。
【図２６】  従来の撮像装置の構成を示す斜視図である。
【図２７】  図２６の撮像装置を構成する携帯型操作機器の制御部の構成を示すブロック図である。
【符号の説明】
１  ベース、  １ａ，１ｂ  凸部、  １ｃ  鍔部、  １ｄ  開口部、  １ｅ，１ｆ  支持穴、  １ｇ  板バネ固設部、  ２  撮像素子、  ３  位置決め部材、４  主軸、  ５  スライダ、  ５ａ  貫通穴、  ５ｂ，５ｃ  凹部、  ５ｄ  ガイド溝、  ５ｅ，５ｆ  保持穴、  ５ｇ  摺動面、  ５ｈ，５ｉ  カム斜面、５ｊ  ガイド部、  ５ｋ  スライド付勢部、  ６  第１の光学系、  ７  第２の光学系、  ８  板バネ、  ８ａ  摺動端、  ９  ネジ、  １０  回路基板、  １０ａ，１０ｂ，１０ｃ  接点パターン、  １０ｇ摺動面、  １１  ベース、  １１ｃ  鍔部、  １１ｇ  摺動面、  １１ｈ，１１ｉ  カム斜面、  １５  スライダ、  １５ｇ  板バネ固設部、  １５ｊ  ガイド部、  １８  板バネ、  １８ａ  摺動端、  ２１  ベース、  ２５  スライダ、  ２８  板バネ、  ２８ａ，２８ｂ  摺動端。
【図１】
0003853162.tif 000002
【図２】
0003853162.tif 000003
【図３】
0003853162.tif 000004
【図４】
0003853162.tif 000005
【図５】
0003853162.tif 000006
【図６】
0003853162.tif 000007
【図７】
0003853162.tif 000008
【図８】
0003853162.tif 000009
【図９】
0003853162.tif 000010
【図１０】
0003853162.tif 000011
【図１１】
0003853162.tif 000012
【図１２】
0003853162.tif 000013
【図１３】
0003853162.tif 000014
【図１４】
0003853162.tif 000015
【図１５】
0003853162.tif 000016
【図１６】
0003853162.tif 000017
【図１７】
0003853162.tif 000018
【図１８】
0003853162.tif 000019
【図１９】
0003853162.tif 000020
【図２０】
0003853162.tif 000021
【図２１】
0003853162.tif 000022
【図２２】
0003853162.tif 000023
【図２３】
0003853162.tif 000024
【図２４】
0003853162.tif 000025
【図２５】
0003853162.tif 000026
【図２６】
0003853162.tif 000027
【図２７】
0003853162.tif 000028